(57)【要約】【課題】汎用の駆動部を用いながらも、スタティックとデューティの両駆動方式による表示領域間の表示見栄えを同等にする。【解決手段】液晶表示装置は、所定の領域Ｓではスタティック駆動方式により第１の表示要素を表示し、所定の領域Ｓとは異なる領域Ｄではデューティ駆動方式により第２の表示要素を表示する。液晶表示装置は、所定の領域Ｓに対応する第１の電極部２０に形成された開口部２１ａ，２２ａからなり、第１の表示要素の透過率を調整する透過率調整部５を備える。透過率調整部５によって、オン電圧印加時の第１の表示要素の開口率が、オン電圧印加時の第２の表示要素の透過率に対する、透過率調整部５が無い場合におけるオン電圧印加時の第１の表示要素の透過率の割合に合わせられている。【選択図】図２
2015118301.tif 000002
【特許請求の範囲】
【請求項１】
表示領域のうち、所定の領域ではスタティック駆動方式により第１の表示要素を表示し、前記所定の領域とは異なる領域ではデューティ駆動方式により第２の表示要素を表示する液晶表示装置であって、
液晶層を挟んで互いに対向する一対の基板と、
前記一対の基板の各々の前記液晶層側に設けられた第１の電極部と、
前記一対の基板の各々の前記液晶層側に設けられた第２の電極部と、を備え、
前記第１の表示要素は、スタティック駆動方式によりオン電圧が印加された前記第１の電極部に挟まれた前記液晶層の領域に対応して表示され、
前記第２の表示要素は、デューティ駆動方式によりオン電圧が印加された前記第２の電極部に挟まれた前記液晶層の領域に対応して表示され、
前記第１の電極部に形成された開口部、又は、前記一対の基板の法線方向において前記第１の電極部と重なる遮光部からなり、前記第１の表示要素の透過率を調整する透過率調整部を備え、
前記透過率調整部によって、オン電圧印加時の前記第１の表示要素の開口率が、オン電圧印加時の前記第２の表示要素の透過率に対する、前記透過率調整部が無い場合におけるオン電圧印加時の前記第１の表示要素の透過率の割合に合わせられている、
ことを特徴とする液晶表示装置。
【請求項２】
前記液晶表示装置は、前記第１の表示要素と前記第２の表示要素とを透過表示するネガ表示型であり、
前記透過率調整部は、オン電圧印加時の前記第１の表示要素の透過率を低下させる、
ことを特徴とする請求項１に記載の液晶表示装置。
【請求項３】
前記透過率調整部は、前記第１の電極部に形成された複数の開口部からなり、前記複数の開口部の各々の開口径が１００μｍ以下である、
ことを特徴とする請求項１又は２に記載の液晶表示装置。
【発明の詳細な説明】
【技術分野】
【０００１】
本発明は、液晶表示装置に関する。
【背景技術】
【０００２】
従来の液晶表示装置として、特許文献１には、表示領域のうち、所定の領域（同文献の絵柄領域）ではスタティック駆動方式により表示要素を表示し、前記所定の領域とは異なる領域（同文献のメインの表示領域）ではデューティ駆動方式により表示要素を表示する液晶表示装置が開示されている（同文献の図１４など参照）。
【先行技術文献】
【特許文献】
【０００３】
【特許文献１】特開平８−２３４７０４号公報
【発明の概要】
【発明が解決しようとする課題】
【０００４】
スタティックとデューティの駆動方式が混在する液晶表示装置において、何の対策も講じなければ、スタティック駆動による表示領域と、デューティ駆動による表示領域とに表示輝度の差が生じてしまうため、表示見栄えが悪化してしまう。
具体的には、ネガ表示型の液晶表示装置を例に説明すると、図７に示すように、デューティ駆動でのオン電圧ＶＤはスタティック駆動でのオン電圧ＶＳよりも低くなるため、電圧オン時の透過率もデューティ駆動時の透過率ＴＤがスタティック駆動時の透過率ＴＳよりも低くなることから、スタティック駆動による表示領域はデューティ駆動による表示領域よりも明るくなってしまう。
【０００５】
特許文献１に係る液晶表示装置では、セグメント用とコモン用の１組の駆動ＩＣのみからなる駆動部を用い、駆動側の条件を調整することにより上記問題の解決を試みているが、このように駆動側で調整すると、駆動部のカスタマイズが必要になり、汎用の駆動部では実現が困難である。
【０００６】
本発明は、上記実状に鑑みてなされたものであり、スタティックとデューティの両駆動方式が混在する液晶表示装置であって、汎用の駆動部を用いながらも、両駆動方式による表示領域間の表示見栄えを同等にすることが可能な液晶表示装置を提供することを目的とする。
【課題を解決するための手段】
【０００７】
上記目的を達成するため、本発明に係る液晶表示装置は、
表示領域のうち、所定の領域ではスタティック駆動方式により第１の表示要素を表示し、前記所定の領域とは異なる領域ではデューティ駆動方式により第２の表示要素を表示する液晶表示装置であって、
液晶層を挟んで互いに対向する一対の基板と、
前記一対の基板の各々の前記液晶層側に設けられた第１の電極部と、
前記一対の基板の各々の前記液晶層側に設けられた第２の電極部と、を備え、
前記第１の表示要素は、スタティック駆動方式によりオン電圧が印加された前記第１の電極部に挟まれた前記液晶層の領域に対応して表示され、
前記第２の表示要素は、デューティ駆動方式によりオン電圧が印加された前記第２の電極部に挟まれた前記液晶層の領域に対応して表示され、
前記第１の電極部に形成された開口部、又は、前記一対の基板の法線方向において前記第１の電極部と重なる遮光部からなり、前記第１の表示要素の透過率を調整する透過率調整部を備え、
前記透過率調整部によって、オン電圧印加時の前記第１の表示要素の開口率が、オン電圧印加時の前記第２の表示要素の透過率に対する、前記透過率調整部が無い場合におけるオン電圧印加時の前記第１の表示要素の透過率の割合に合わせられている、
ことを特徴とする。
【発明の効果】
【０００８】
本発明によれば、汎用の駆動部を用いながらも、スタティックとデューティの両駆動方式による表示領域間の表示見栄えを同等にすることが可能である。
【図面の簡単な説明】
【０００９】
【図１】本発明の一実施形態に係る液晶表示装置の平面図である。
【図２】図１に示す液晶パネルのＡ−Ａ線概略断面図である。
【図３】図１に示すＢ部に対応する図であり、（ａ）は、第１の電極部を構成する表側電極の概略平面図であり、（ｂ）は、第１の電極部を構成する裏側電極の概略平面図である。
【図４】（ａ）及び（ｂ）は、第１の電極部に設けられる開口部の開口径を説明するための図である。
【図５】デューティ駆動によるオン透過率と、スタティック駆動によるオン透過率と、開口率と、表示要素における開口部の割合との関係を説明するための表の図である。
【図６】変形例に係る液晶パネルの概略断面図である。
【図７】ネガ表示型の液晶表示装置におけるＶ−Ｔ（電圧−透過率）曲線を示した図である。
【発明を実施するための形態】
【００１０】
本発明の一実施形態について図面を参照して説明する。
【００１１】
本発明の一実施形態に係る液晶表示装置１００は、図１に示すように、液晶パネル１と、スタティック駆動部２と、デューティ駆動部３と、を備える（同図では、これらの外形を点線で示した）。これらは、液晶パネル１の表示領域を覗かせる筐体４に収納されている。
【００１２】
液晶表示装置１００は、表示領域のうち、所定の領域（以下、スタティック表示領域Ｓ）ではスタティック駆動部２により表示動作を行い、スタティック表示領域Ｓとは異なる領域（以下、デューティ表示領域Ｄ）ではデューティ駆動部３により表示動作を行う。
【００１３】
液晶パネル１は、垂直配向型（ＶＡ（Virtical Alignment）型）の液晶パネルであり、ネガ表示型のものとして構成されている。液晶パネル１は、図２に示すように、一対の基板１１，１２と、第１の電極部２０と、第２の電極部３０と、配向膜４１，４２と、液晶層５０と、偏光板６１，６２と、を備える。
【００１４】
なお、図２は、図１に示す液晶パネル１のＡ−Ａ線概略断面図であり、併せてスタティック駆動部２とデューティ駆動部３とを模式的に記した図である。また、以下では、液晶パネル１の構成の理解を容易にするため、液晶表示装置１００のユーザ側（表示側）を所定部材についての表側、その反対側を裏側として、適宜、各部を説明する。
【００１５】
基板１１，１２は、各々、例えば、ガラス、プラスチック等から透明に形成されている。一対の基板１１，１２は、液晶層５０を挟んで互いに対向して配置されている。基板１１は液晶層５０の表側に位置し、基板１２は液晶層５０の裏側に位置する。
【００１６】
第１の電極部２０、第２の電極部３０は、各々、酸化インジウムを主成分とするＩＴＯ（Indium Tin Oxide）膜等から構成され、光を透過する透明電極である。
【００１７】
第１の電極部２０は、スタティック表示領域Ｓに対応し、液晶層５０の表側に位置する表側電極２１と、液晶層５０の裏側に位置する裏側電極２２とから構成されている。
表側電極２１は基板１１の液晶層５０側の面上に、裏側電極２２は基板１２の液晶層５０側の面上に、公知の方法（スパッタ、蒸着、エッチング等）により形成されている。表側電極２１はコモン電極として、裏側電極２２はセグメント電極として構成されている。両電極は（つまり、第１の電極部２０は）、スタティック駆動部２と公知の手法により電気的に接続されている。
スタティック駆動部２は、例えば、液晶表示パネル１の裏側に位置する回路基板（図示せず）に実装されたスタティック駆動用ＩＣ（Integrated Circuit）からなり、第１の電極部２０にスタティック駆動方式により駆動電圧を印加する。
【００１８】
第２の電極部３０は、デューティ表示領域Ｄに対応し、液晶層５０の表側に位置する表側電極３１と、液晶層５０の裏側に位置する裏側電極３２とから構成されている。
表側電極３１は基板１１の液晶層５０側の面上に、裏側電極３２は基板１２の液晶層５０側の面上に、公知の方法（スパッタ、蒸着、エッチング等）により形成されている。表側電極３１はコモン電極として、裏側電極３２はセグメント電極として構成されている。両電極は（つまり、第２の電極部３０は）、デューティ駆動部３と公知の手法により電気的に接続されている。
デューティ駆動部３は、例えば、前述した回路基板（図示せず）に実装されたデューティ駆動用ＩＣからなり、第２の電極部３０にデューティ駆動（ダイナミック駆動）方式により駆動電圧を印加する。
【００１９】
なお、第１の電極部２０において、表側電極２１がセグメント電極、裏側電極２２がコモン電極として構成されてもよい。同様に、第２の電極部３０において、表側電極３１がセグメント電極、裏側電極３２がコモン電極として構成されてもよい。
また、第１の電極部２０は、表側電極２１に形成された複数の開口部２１ａと、裏側電極２２に形成された複数の開口部２２ａとからなる透過率調整部５を有する。透過率調整部５については、後に詳述する。
【００２０】
第１の電極部２０を構成する表側電極２１と裏側電極２２とは、各々が所定の形状にパターニングされている。液晶表示装置１００は、基板１１と基板１２の対向面の法線方向（以下、単に、基板法線方向という）から見て、表側電極２１と裏側電極２２とが重なる領域において、前記所定の形状に対応した表示要素を表示する。ここで、表示要素とは、液晶表示装置１００が表示する画像の素となるものであり、図形だけでなく、それ単体で、文字、数字、アイコン等の記号を表すものも含む。液晶表示装置１００は、スタティック駆動部２からスタティック駆動方式によりオン電圧が印加された第１の電極部２０に挟まれた液晶層５０の領域で、光を透過させることによって、その領域に対応する表示要素を表示状態とする（略白く表示する）。
第２の電極部３０の構成も同様であり、液晶表示装置１００は、基板法線方向から見て、表側電極３１と裏側電極３２とが重なる領域において、パターニングされた電極の形状に対応した表示要素を表示する。液晶表示装置１００は、デューティ駆動部３からデューティ駆動方式によりオン電圧が印加された第２の電極部３０に挟まれた液晶層５０の領域で、光を透過させることによって、その領域に対応する表示要素を表示状態とする（略白く表示する）。
液晶表示装置１００では、基板法線方向から見て、表側電極２１と裏側電極２２とが重ならない領域、表側電極３１と裏側電極３２とが重ならない領域、及び、オン電圧が印加されていない領域が略黒の背景領域６となる。このように、液晶表示装置１００は、略黒の背景領域６に表示要素を略白く表示する、いわゆるネガ表示型（ノーマリブラックモード）のものとして構成されている。
【００２１】
以下、第１の電極部２０に対応してスタティック表示領域Ｓで表示される表示要素を第１の表示要素、第２の電極部３０に対応してデューティ表示領域Ｄで表示される表示要素を第２の表示要素として説明する。
【００２２】
スタティック表示領域Ｓでは、液晶表示装置１００は、図１に示すように、いわゆる７セグメント形式による３桁の数値と、「ｋｍ／ｈ」という単位とが表示可能となっている。この例では、第１の表示要素７は、六角形状のセグメント、文字「ｋ」、記号「／」などの各々である。
デューティ表示領域Ｄでは、液晶表示装置１００は、図１に示すように、７セグメント形式による６桁の数値と、「ｋｍ」という単位と、バーグラフとが表示可能となっている。この例では、第２の表示要素８は、六角形状のセグメント、文字「ｋ」、バーグラフを構成する矩形の図形などの各々である。
【００２３】
配向膜４１，４２は、それぞれ、液晶層５０に接する垂直配向膜であり、例えばポリイミドから、公知の方法（例えば、フレクソ印刷）によって形成される。配向膜４１は表側電極２１，３１を液晶層５０側から覆い、配向膜４２は裏側電極２２，３２を液晶層５０側から覆う。配向膜４１，４２は、液晶層５０に電圧が印加されていないとき（電圧無印加時）の液晶分子を、基板１１，１２の主面（液晶層５０側に向く面）と略垂直に配向させる。
【００２４】
液晶層５０は、基板１１と基板１２と両基板を接合するシール材（図示せず）とによって形成される空間に封入されている。液晶層５０は、誘電率異方性Δεが負（Δε＜０）の液晶材から構成されている。また、液晶層５０は、その層厚（セルギャップ）が図示しないスペーサにより一定に保たれている。液晶層５０にしきい電圧以上の電圧が印加されると、略垂直に配向された液晶分子が倒れ込むように挙動する。そして、オン電圧が印加されたときは、液晶分子は基板１１、１２の主面と実質的に平行となる。
【００２５】
偏光板６１，６２は、一方の面側から入射した光を、吸収軸に直交する透過軸に沿った直線偏光として他方の面側から出射する。図２に示すように、偏光板６１は基板１１の表側に位置し、偏光板６２は基板１２の裏側に位置する。偏光板６１と偏光板６２とは、基板法線方向から見て、それぞれの吸収軸が互いに直交するように配置されている（直交ニコル配置）。なお、偏光板６２の裏側には、バックライト（図示せず）が備えられている。液晶表示装置１００は、バックライトからの光により透過表示を行う。
【００２６】
液晶表示装置１００では、液晶分子が倒れ始めるしきい電圧よりも低い値にオフ電圧が設定されている。そのため、液晶層５０にオフ電圧を印加しても液晶分子は実質的に垂直に配向したままである。この場合、バックライトから出射され、偏光板６２を通過した光は、液晶層５０によって偏光方向がほとんど変化しない。そのため、液晶層５０を裏側から透過した光のほとんどは、偏光板６２と直交ニコルの関係で配置された偏光板６１を透過できない。従って、オフ電圧が印加された領域の表示は黒く視認される（ノーマリブラックモード）。一方、液晶層５０にオン電圧を印加すると、オン電圧が印加された領域の液晶分子は、基板１１，１２の主面と実質的に平行となるように挙動する。これにより、液晶層５０を透過する光に複屈折が起き、光の偏光方向が変化し、液晶層５０を裏側から透過した光は偏光板６１を透過する。従って、オン電圧が印加された領域が透過表示状態となる。
【００２７】
（透過率調整部について）
ここからは、第１の電極部２０が有する透過率調整部５について詳細に説明する。
前述したように、デューティ駆動でのオン電圧ＶＤはスタティック駆動でのオン電圧ＶＳよりも低く設定されるため（図７）、何の対策も講じなければ、電圧オン時の透過率もデューティ駆動時の透過率ＴＤがスタティック駆動時の透過率ＴＳよりも低くなる。これでは、スタティック駆動による表示領域はデューティ駆動による表示領域よりも明るくなってしまうため、表示見栄えが悪化する。両駆動方式での表示領域間の見栄えの差は、デューティ駆動部３が高デューティ（１／ｎのｎが大きいほど高デューティ）での駆動をすればするほど顕著になる。
オン電圧印加時に限って言えば、デューティ駆動でのオン電圧ＶＤを上げれば、この問題は解消可能であるが、デューティ駆動では、オン電圧とオフ電圧との幅に制限があるため、オン電圧ＶＤを上げればオフ電圧も上がることになり、今度は、極力黒く表示したいオフ電圧印加時の透過率が上昇してしまい、表示品位が損なわれる（いわゆる背景抜けが顕著になってしまう）。
そこで、本願発明者は、表側電極２１に形成された複数の開口部２１ａと、裏側電極２２に形成された複数の開口部２２ａとからなる透過率調整部５により、両駆動方式での表示領域間の見栄えの差を解消することを想い到った。
【００２８】
図３（ａ）（ｂ）に、第１の表示要素７のうち、図１に示すＢ部に位置する表示要素（７セグメントを構成する１つの図形）に対応する電極の平面図を示す。図３（ａ）は表側電極２１の概略平面図であり、図３（ｂ）は裏側電極２２の概略平面図である。なお、見易さのため、図３（ａ）（ｂ）では、背景領域６（図１）において形成される引き回し電極を省略して表している。
【００２９】
図３（ａ）に示すように、表側電極２１には、表側電極２１を基板法線方向に貫通する複数の開口部２１ａが形成されている。開口部２１ａは、一例として矩形状をなしている。同様に、図３（ｂ）に示すように、裏側電極２２には、裏側電極２２を基板法線方向に貫通する複数の開口部２２ａが形成されている。開口部２２ａも開口部２１ａと同様に矩形状をなすとともに、複数の開口部２２ａは、表側電極２１に形成された開口部２１ａと同じパターンで配列されている。つまり、複数の開口部２１ａの各々と複数の開口部２２ａの各々とが、基板法線方向から見て、重なるように配置されている。
【００３０】
このように、複数の開口部２１ａと複数の開口部２２ｂとから構成される透過率調整部５は、第１の表示要素７の透過率（第１の表示要素７が表示される領域での透過率）を所定の割合だけ低下させる。開口部２１ａと開口部２２ｂとが基板法線方向において重なる領域では、両者に挟まれる液晶層５０にオン電圧が印加されず（基板法線方向に電界が生じない）、液晶分子は実質的に垂直に配向したままとなり、光を透過しないためである。
つまり、透過率調整部５は、第１の表示要素７における開口率を低下させる。
【００３１】
ここで、開口率という用語は技術分野によって様々な意味合いで用いられるが、本文においては、「開口率」とは、オン電圧印加時における所定の表示要素の表示領域において、光を通す部分と遮る部分との比率を言うものとする。また、所定の表示要素に対応する電極領域に占める、実際に形成された開口部の総領域の割合については、「開口部の割合」と呼ぶことで、「開口率」という用語と区別する。
【００３２】
また、スタティック表示領域Ｓにおいて、透過率調整部５が設けられていない場合の、オン電圧ＶＳ印加時の第１の表示要素７の透過率（オン透過率）をＴＳとし、デューティ表示領域Ｄにおいて、オン電圧ＶＤ印加時の第２の表示要素８の透過率（オン透過率）をＴＤとする。
何の対策も講じなければ、スタティック駆動により表示される第１の表示要素７は、デューティ駆動により表示される第２の表示要素８よりも明るくなる。そこで、本実施形態では、第１の表示要素７の開口率Ｒを透過率調整部５により、下記（数１）式を満たすように設定することで、第１の表示要素７の透過率を下げ、第１の表示要素７と第２の表示要素８とを同等の明るさにしている。
【００３３】
【数１】
2015118301.tif 000003
【００３４】
また、第１の表示要素７に対応する電極領域に占める、実際に形成された開口部の総領域の割合、つまり、開口部の割合Ａは、下記（数２）式に示すようになる。
なお、本実施形態では、表側電極２１に形成された複数の開口部２１ａの各々と、裏側電極２２に形成された複数の開口部２２ａの各々とは、基板法線方向において重なる。そのため、ここでの開口部の割合Ａは、第１の表示要素７に対応する表側電極２１の面積に占める複数の開口部２１ａの総面積の割合と等しく、また、第２の表示要素７に対応する裏側電極２２の面積に占める複数の開口部２２ａの総面積の割合とも等しい。
【００３５】
【数２】
2015118301.tif 000004
【００３６】
図５を参照して、透過率調整部５による第１の表示要素７の開口率Ｒの設定の一例を説明する。図５に示す表のうち、デューティ（Ｄｕｔｙ）が１／１のときは、参考として記している。このときは、ＴＤとＴＳが等しくなるため、駆動方式による表示見栄えの差異は発生しない。
図５に示すように１／２Ｄｕｔｙのとき、第２の表示要素８のオン透過率ＴＤは、「２２」となり、透過率調整部５を設けない場合における第１の表示要素７のオン透過率ＴＳの「２４」よりも小さくなっていることがわかる。この際、スタティック表示領域Ｓにおける第１の表示要素７の開口率Ｒを、上記（数１）式により、Ｒ＝２２／２４≒０．９１（９１％）とすればよい。具体的には、第１の表示要素７に対応する電極領域において、上記（数２）式により、Ａ＝１−０．９１≒０．０９（９％）の割合で、開口部を形成すればよい。図３を例にすれば、六角形状のセグメントの第１の表示要素７に対応する表側電極２１の外形の面積において、複数の開口部２１ａの総面積が９％を占めるように、開口部２１ａを形成すればよい。同様に、六角形状のセグメントの第１の表示要素７に対応する裏側電極２２の外形の面積において、複数の開口部２２ａの総面積が９％を占めるように、開口部２２ａを形成すればよい。
１／４Ｄｕｔｙのときは、第２の表示要素８のオン透過率ＴＤは「１９」であるため、スタティック表示領域Ｓにおける第１の表示要素７の開口率Ｒを、上記（数１）式により、Ｒ＝１９／２４≒０．７８（７８％）とすればよい。具体的には、第１の表示要素７に対応する電極領域において、上記（数２）式により、Ａ＝１−０．７８≒０．２２（２２％）の割合で、開口部を形成すればよい。
【００３７】
表側電極２１に形成される複数の開口部２１ａは、図３（ａ）に示すように、極力、規則性を有さずにランダムに配列されているほうがよい。極力ランダムに配列したほうが、開口部２１ａを形成したことにより生じるおそれのある第１の表示要素７の表示乱れを効果的に低減できるからである。開口部２１ａに対応して裏側電極２２に形成される複数の開口部２２ａについても同様である（図３（ｂ）参照）。
【００３８】
また、複数の開口部２１ａの各々の開口径は、１００μｍ以下であることが好ましい。開口径が１００μｍより大きいと、開口部２１ａを形成したことによる第１の表示要素７の表示乱れが発生するためである。
以上では、開口部２１ａが矩形に形成される例を示したが、矩形の場合は、開口径が１００μｍ以下とは、図４（ａ）に示すように、短辺Ｌ１と長辺Ｌ２とが共に、１００μｍ以下である場合を指す。なお、開口部２１ａの形状に限定はなく、例えば、図４（ｂ）に示すような、円形状であってもよい。この場合は、直径Ｌが１００μｍ以下となるように開口部２１ａを形成すればよい。
【００３９】
また、以上に説明したように開口部２１ａと開口部２２ａとが基板法線方向において重なるように設けたほうが、開口部の割合Ａに基づいて第１の表示要素７の透過率を低下させることができるため、設計上好ましいが、表側電極２１と裏側電極２２との一方にのみ複数の開口部を設けて第１の表示要素７の透過率を調整してもよい。この場合は、開口率Ｒが上記（数１）を満たすようにして、一方の電極に開口部を設ければよい。
【００４０】
また、オン透過率を調整するために、第１の表示要素７と比較される第２の表示要素８は、スタティック表示領域Ｓとデューティ表示領域Ｄとの見栄えを同等にするのに最適なものを任意に選べばよい。
さらには、オン透過率を調整するための基準となる第１の表示要素７、第２の表示要素８としては、単体の図形や記号などでなくともよく、複数の図形や記号などの集合であってもよいし、スタティック表示領域Ｓ全体において表示される表示要素や、デューティ表示領域Ｄ全体において表示される表示要素であってもよい。この場合においても、スタティック表示領域Ｓとデューティ表示領域Ｄとの見栄えを同等にするのに最適なものを任意に選べばよい。
【００４１】
また、以上の例では、透過率調整部５が開口部２１ａ，２２ａから構成される例を示したが、遮光部から構成されてもよい。ここで、遮光部を有する変形例に係る液晶表示装置を、図６を参照して説明する。変形例に係る液晶表示装置の液晶パネル１ａは、透過率調整部として複数の遮光部５ａを有する。液晶パネル１ａは、第１の電極部２０に開口部２１ａ，２２ａが設けられていない点以外は、前述の液晶パネル１とほぼ同様の構成である。そのため、図６において同様の機能を有する各部については、液晶パネル１と同じ符号を付している。
液晶パネル１ａは、図６に示すように、基板１１と、第１の電極部２０を構成する表側電極２１との間に、ブラックマスク（遮光膜）からなる遮光部５ａと、遮光部５ａが形成されることによる段差を平坦化する平坦化層７０（例えば、アクリル等の所定の樹脂からなるオーバーコート層からなる）と、を有する。遮光部５ａは、複数あり、各々が微細な粒状に形成されている。遮光部５ａは、開口部と同様に、基板法線方向から見た場合の形状は矩形であっても、円形であってもよい。また、遮光部５ａが形成されたことによる第１の表示要素７に表示乱れが発生しないように、開口部と同様に、極力小さく、また好ましくはランダムに配列されている。このように基板法線方向において、表側電極２１と重なる遮光部５ａは、第１の表示要素７の開口率が、上記（数１）式を満たすように設けられている。このようにしても、第１の表示要素７の透過率を低下させて、第２の表示要素８の透過率に合わせることができるため、スタティック表示領域Ｓとデューティ表示領域Ｄとの表示見栄えを同等にすることができる。なお、遮光部５ａは、基板法線方向において、第１の表示要素７と重なる部分に設けられていればよいため、偏光板６１の表側や、裏側電極２２と基板１２との間などに設けることも可能である。
【００４２】
なお、本発明は上記の実施形態、その変形例、及び図面によって限定されるものではない。これらに変更（構成要素の削除も含む）を加えることができるのはもちろんである。
【００４３】
以上では、液晶表示装置１００がＶＡ型で、ネガ表示型（ノーマリブラックモード）である例を説明したが、これに限られない。
液晶表示装置は、ＴＮ（Twisted Nematic）型などであってもよいし、略白の背景領域に表示要素が略黒く表示されるポジ表示型（ノーマリホワイトモード）のものであってもよい。液晶表示装置がポジ表示型である場合、何の対策も講じないと、スタティック表示領域Ｓが、デューティ表示領域Ｄよりも暗くなってしまう。この場合は、液晶表示装置１００と同様に、開口部２１ａ，２２ａからなる透過率調整部５で第１の表示要素７のオン透過率を調整すればよい。ただし、液晶表示装置がポジ表示型である場合は、透過率調整部５は、第１の表示要素７のオン透過率を上昇させることになる。いずれにせよ、透過率調整部５によって第１の表示要素７の開口率Ｒを、上記（数１）を満たすようにすれば、スタティック表示領域Ｓとデューティ表示領域Ｄとの見栄えを同等にすることが可能である。
【００４４】
以上では、液晶表示装置１００がデューティ表示領域Ｄでは、セグメント形式で表示要素を表示する例を示したが、パッシブマトリクス形式で表示要素を表示してもよい。この場合、１つの画素（ドット）または、複数の画素の集合が第２の表示要素８に相当する。
【００４５】
以上に説明した液晶表示装置１００は、表示領域のうち、所定の領域（スタティック表示領域Ｓ）ではスタティック駆動方式により第１の表示要素７を表示し、前記所定の領域とは異なる領域（デューティ表示領域Ｄ）ではデューティ駆動方式により第２の表示要素８を表示する液晶表示装置であって、液晶層５０を挟んで互いに対向する一対の基板１１，１２と、一対の基板１１，１２の各々の液晶層５０側に設けられた第１の電極部２０と、一対の基板１１，１２の各々の液晶層５０側に設けられた第２の電極部３０と、を備え、第１の表示要素７は、スタティック駆動方式によりオン電圧が印加された第１の電極部２０に挟まれた液晶層５０の領域に対応して表示され、第２の表示要素８は、デューティ駆動方式によりオン電圧が印加された第２の電極部３０に挟まれた液晶層５０の領域に対応して表示され、第１の電極部２０に形成された開口部２１ａ，２２ａ、又は、一対の基板１１，１２の法線方向において第１の電極部２０と重なる遮光部５ａからなり、第１の表示要素７の透過率を調整する透過率調整部を備え、透過率調整部によって、オン電圧印加時の第１の表示要素７の開口率が、オン電圧印加時の第２の表示要素８の透過率に対する、透過率調整部が無い場合におけるオン電圧印加時の第１の表示要素７の透過率の割合に合わせられている。
このようにしたから、スタティックとデューティの両駆動方式が混在する液晶表示装置において、前述のように、両駆動方式による表示領域間の表示見栄えを同等にすることが可能である。また、駆動側の調整に頼らずに済むため、汎用の駆動部を用いることが可能であり、駆動部のカスタマイズ等によるコストの増加を抑えることが可能である。
【００４６】
以上の説明では、本発明の理解を容易にするために、重要でない公知の技術的事項の説明を適宜省略した。
【符号の説明】
【００４７】
１００  …液晶表示装置
１，１ａ  …液晶パネル
２  …スタティック駆動部
３  …デューティ駆動部
Ｓ  …スタティック表示領域
Ｄ  …デューティ表示領域
５  …透過率調整部
５ａ…遮光部
１１，１２  …基板
２０  …第１の電極部
２１  …表側電極
２１ａ…開口部
２２  …裏側電極
２２ａ…開口部
３０  …第２の電極部
３１  …表側電極
３２  …裏側電極
４１，４２  …配向膜
５０  …液晶層
６１，６２  …偏光板
７０  …平坦化層
【図１】
2015118301.tif 000005
【図２】
2015118301.tif 000006
【図３】
2015118301.tif 000007
【図４】
2015118301.tif 000008
【図５】
2015118301.tif 000009
【図６】
2015118301.tif 000010
【図７】
2015118301.tif 000011